(57)【要約】ギターのような電気弦楽器用の携帯用スピーカシステム。携帯用スピーカシステムは、ギターから生の音声信号を受信するためのオーディオジャックを含むハウジング、増幅器、スピーカ、および電源を有する。携帯用スピーカシステムは、ギターに取り付けられるときに、ギターのストラップボタンに取り外し可能に取り付けるボタンコネクタ、および携帯用スピーカシステムの回転を禁止するための安定器、によってギターに取り付ける。携帯用スピーカシステムは、生の音声信号から出力音を持ち運び可能に生成する。携帯用スピーカシステムは、生の音声信号を処理することができて、補助的音声信号を出力することができる携帯用コンピューティングデバイスと結合することができる。携帯用コンピューティングデバイスから、携帯用スピーカシステムは、出力音を持ち運び可能に生成することができる。【選択図】図６
2019522409.tif 000002
【特許請求の範囲】
【請求項１】
電気弦楽器に取り付けるための携帯用スピーカシステムであって、前記携帯用スピーカシステムは、
ハウジングであって、
前記電気弦楽器によって発生する生の音声信号を出力するオーディオプラグを受け入れるためのオーディオジャック、
前記オーディオジャックに結合され、そして、前記生の音声信号および処理された生の音声信号のうちの１つを含む音声信号を受信して、増幅された音声信号を生成するために前記音声信号を増幅するように構成される増幅器、
前記増幅器に結合され、そして、前記増幅された音声信号を受信して、前記増幅された音声信号から出力音を生成するように構成されるスピーカ、および、
前記増幅器およびスピーカに電力を供給するために前記増幅器およびスピーカに結合される電源、を含むハウジングと、
前記携帯用スピーカシステムを前記電気弦楽器のボディに取り付けるために前記電気弦楽器のストラップボタンに取り外し可能に取り付けるための前記ハウジング上に配置されるボタンコネクタと、
前記携帯用スピーカシステムが前記電気弦楽器に取り付けられるときに前記携帯用スピーカシステムの回転を禁止するための前記ハウジングから延びる安定器と、
を含む、携帯用スピーカシステム。
【請求項２】
前記増幅器および携帯用コンピューティングデバイスに結合される補助的オーディオ接続であって、前記携帯用コンピューティングデバイスから補助的音声信号を受信するための補助的オーディオ接続をさらに含み、前記増幅器は、前記生の音声信号および前記補助的音声信号を含む音声信号を受信するように構成される、請求項１に記載の携帯用スピーカシステム。
【請求項３】
前記補助的オーディオ接続は、ワイヤレスオーディオ接続を含む、請求項２に記載の携帯用スピーカシステム。
【請求項４】
前記携帯用スピーカシステムは、前記増幅器および携帯用コンピューティングデバイスに結合される補助的オーディオ接続であって、前記生の音声信号を処理のために前記携帯用コンピューティングデバイスに送るための、そして前記携帯用コンピューティングデバイスから処理された生の音声信号を受信するための補助的オーディオ接続をさらに含み、前記音声信号は、前記処理された生の音声信号を含む、請求項１に記載の携帯用スピーカシステム。
【請求項５】
前記携帯用スピーカシステムは、前記生の音声信号および前記処理された生の音声信号のうちの１つを前記増幅器に選択的に提供するための電気的バイパスをさらに含む、請求項３に記載の携帯用スピーカシステム。
【請求項６】
前記携帯用スピーカシステムの前記ハウジングに取り付けられる取付け機構をさらに含み、前記取付け機構は、その中に前記携帯用コンピューティングデバイスを保持するためのホルダを含む、請求項３に記載の携帯用スピーカシステム。
【請求項７】
前記取付け機構は、前記携帯用スピーカシステムの前記ハウジングから着脱可能である、請求項５に記載の携帯用スピーカシステム。
【請求項８】
前記取付け機構は、前記携帯用スピーカシステムの前記安定器と統合され、前記取付け機構は、前記携帯用スピーカシステムが前記電気弦楽器に取り付けられるときに、前記電気弦楽器のボディの一部に沿って延びる、請求項５に記載の携帯用スピーカシステム。
【請求項９】
前記ボタンコネクタは、前記ハウジングの底部上に配置され、前記安定器は、前記ハウジングに枢着され、前記安定器は、前記携帯用スピーカシステムが前記電気弦楽器に取り付けられるときに前記携帯用スピーカシステムの回転を禁止するために前記安定器が前記電気弦楽器のボディの一部に重なる開位置と、前記携帯用スピーカシステムが前記電気弦楽器に取り付けられないときに前記安定器が前記携帯用スピーカシステムの前記ハウジングに隣接する閉位置との間を枢動可能である、請求項１に記載の携帯用スピーカシステム。
【請求項１０】
前記安定器は、前記携帯用スピーカシステムが前記電気弦楽器に取り付けられるときに前記電気弦楽器のボディの一部に対して弾性的にバイアスされる、請求項８に記載の携帯用スピーカシステム。
【請求項１１】
電気弦楽器用の携帯用スピーカシステムであって、前記システムは、
携帯用コンピューティングデバイスと、
前記電気弦楽器用の携帯用スピーカシステムと、を含み、
前記携帯用スピーカシステムは、
ハウジングであって、
前記電気弦楽器によって発生する生の音声信号を出力するオーディオプラグを受け入れるためのオーディオジャック、
前記オーディオジャックに結合され、そして、前記生の音声信号および処理された生の音声信号のうちの１つを含む音声信号を受信して、増幅された音声信号を生成するために前記音声信号を増幅するように構成される増幅器、
前記増幅器に結合され、そして、前記増幅された音声信号を受信して、前記増幅された音声信号から出力音を生成するように構成されるスピーカ、および、
前記増幅器およびスピーカに電力を供給するために前記増幅器およびスピーカに結合される電源、を含むハウジングと、
前記携帯用スピーカシステムを前記電気弦楽器に取り外し可能に取り付けるための、そして前記携帯用スピーカシステムが前記電気弦楽器に取り付けられるときに前記携帯用スピーカシステムの回転を禁止するための、取付け機構と、
前記携帯用コンピューティングデバイスを前記電気弦楽器に対して固定するために前記携帯用スピーカシステムの前記ハウジングから延びる携帯用コンピューティングデバイスマウントと、
前記増幅器および前記携帯用コンピューティングデバイスに結合される補助的オーディオ接続であって、前記処理された生の音声信号および補助的音声信号のうちの１つを前記増幅器に送るための補助的オーディオ接続と、
を含む、システム。
【請求項１２】
前記補助的オーディオ接続は、前記携帯用コンピューティングデバイスによって生成される補助的音声信号を受信するように構成され、前記音声信号は、前記生の音声信号および前記補助的音声信号を含む、請求項１１に記載のシステム。
【請求項１３】
前記補助的オーディオ接続は、前記生の音声信号を処理のために前記携帯用コンピューティングデバイスに送り、そして前記携帯用コンピューティングデバイスから処理された生の音声信号を受信するように構成され、前記音声信号は、前記処理された生の音声信号を含む、請求項１１に記載のシステム。
【請求項１４】
前記取付け機構は、
前記携帯用スピーカシステムを前記電気弦楽器のボディに取り付けるために前記電気弦楽器のストラップボタンに取り外し可能に取り付けるための前記ハウジング上に配置されるボタンコネクタと、
前記携帯用スピーカシステムが前記電気弦楽器に取り付けられるときに前記携帯用スピーカシステムの回転を禁止するために前記携帯用スピーカシステムから延びる安定器と、
を含む、請求項１１に記載のシステム。
【請求項１５】
前記携帯用スピーカシステムは、前記生の音声信号および前記処理された生の音声信号のうちの１つを前記増幅器に選択的に提供するための電気的バイパスをさらに含む、請求項１１に記載のシステム。
【請求項１６】
前記携帯用コンピューティングデバイスマウントは、前記携帯用スピーカシステムの前記ハウジングから着脱可能である、請求項１１に記載のシステム。
【請求項１７】
前記補助的オーディオ接続は、ワイヤレスオーディオ接続を含む、請求項１１に記載のシステム。
【請求項１８】
前記携帯用スピーカシステムの前記ハウジングは、前記携帯用スピーカシステムが前記電気弦楽器に取り付けられるときに前記電気弦楽器の前記ストラップボタンの方に面する第１側部を含み、前記ボタンコネクタは、前記ハウジングの前記第１側部上に配置され、支持部材が前記ハウジングに枢着され、前記支持部材は、前記携帯用スピーカシステムが前記電気弦楽器に取り付けられるときに前記携帯用スピーカシステムの回転を禁止するために前記支持部材が前記電気弦楽器のボディの一部に重なる開位置と、前記携帯用スピーカシステムが前記電気弦楽器に取り付けられないときに前記支持部材が前記携帯用スピーカシステムの前記ハウジングに隣接する閉位置との間を枢動可能である、請求項１４に記載のシステム。
【発明の詳細な説明】
【技術分野】
【０００１】
［関連出願の相互参照］
この出願は、２０１６年５月３０日に出願された米国特許出願第６２／３４３，０３９号および２０１６年１０月２４日に出願された米国特許出願第６２／４１１，７６０号の優先権を主張する。そしてその全部は引用により本明細書に組み込まれる。
【０００２】
［分野］
本発明は、楽器アクセサリに関し、特に電気弦楽器用の携帯用スピーカシステムに関する。
【背景技術】
【０００３】
楽器が演奏されるときに、電気ギター、電気ベースギターなどのような電気弦楽器は、増幅器およびスピーカシステムが楽器からの出力音を生成するために必要であるという必要性によって、それらのポータビリティを制限される。周知の増幅器およびスピーカシステムは、電源に接続されるそれらの概して大きなサイズおよびそれらの必要性の理由で、容易に携帯用ではない。したがって、電気弦楽器のユーザは、それらの音響的相対物（ａｃｏｕｓｔｉｃ  ｃｏｕｎｔｅｒｐａｒｔ）のポータビリティを享受しなかった。
【０００４】
しかしながら、内蔵スピーカシステムを有し電源が存在する電気弦楽器は、選り抜きの自分自身の好適な電気弦楽器を持ち運びできる状態で使用することを望むユーザを助けない。内蔵スピーカを有する選り抜きの好適な電気弦楽器を改造することは、高価であり、重荷であり、そして楽器を大幅に変える。この種の大胆な変更は、高品質の収集される楽器にとって特に好ましくない。別々の携帯用スピーカユニットはある程度のポータビリティをユーザに提供するが、ユーザは、演奏する間はまだスピーカユニットに繋がれていて、楽器を演奏する間に別々のスピーカユニットと共に動くことができない。
【０００５】
自分の好適な電気弦楽器の音に補助的オーディオまたは処理を追加することを望むユーザのために、携帯用コンピューティングデバイスによって、ポータビリティ・チャレンジは、楽器を演奏しながら接続されるままであるギター、スピーカ、および携帯用コンピューティングデバイスの必要性を増す。
【発明の概要】
【課題を解決するための手段】
【０００６】
実施形態の一態様によれば、電気弦楽器用の携帯用スピーカシステムが提供される。携帯用スピーカシステムはハウジングを含み、ハウジングは、ユーザにより演奏されるときに電気弦楽器によって発生する生の音声信号を出力するオーディオプラグを受け入れるためのオーディオジャックと、オーディオジャックに結合され、そして、生の音声信号および処理された生の音声信号のうちの１つを含む音声信号を受信して、増幅された音声信号を生成するために音声信号を増幅するように構成される増幅器と、増幅器に結合され、そして、増幅された音声信号を受信して、増幅された音声信号から出力音を生成するように構成されるスピーカと、増幅器およびスピーカに電力を供給するために増幅器およびスピーカに結合される電源と、を含む。携帯用スピーカシステムは、携帯用スピーカシステムを電気弦楽器のボディに取り付けるために電気弦楽器のストラップボタンに取り外し可能に取り付けるためのハウジング上に配置されるボタンコネクタと、携帯用スピーカシステムが電気弦楽器に取り付けられるときに携帯用スピーカシステムの回転を禁止するための取付けモジュールから延びる安定器と、を含む。
【０００７】
携帯用スピーカシステムは、増幅器および携帯用コンピューティングデバイスに結合される補助的オーディオ接続であって、携帯用コンピューティングデバイスから補助的音声信号を受信するための補助的オーディオ接続をさらに含んでよく、増幅器は、生の音声信号および補助的音声信号を含む音声信号を受信するように構成される。
【０００８】
携帯用スピーカシステムは、増幅器および携帯用コンピューティングデバイスに結合される補助的オーディオ接続であって、生の音声信号を処理のために携帯用コンピューティングデバイスに送るための、そして携帯用コンピューティングデバイスから処理された生の音声信号を受信するための補助的オーディオ接続をさらに含んでよく、音声信号は、処理された生の音声信号を含む。
【０００９】
携帯用スピーカシステムは、生の音声信号および処理された生の音声信号のうちの１つを増幅器に選択的に提供するための電気的バイパスをさらに含んでよい。
【００１０】
携帯用スピーカシステムは、携帯用スピーカシステムのハウジングに取り付けられる取付け機構をさらに含んでよく、取付け機構は、その中に携帯用コンピューティングデバイスを確実に保持するためのホルダを含む。
【００１１】
取付け機構は、携帯用スピーカシステムのハウジングから着脱可能であってよい。
【００１２】
取付け機構は、安定器と統合されてよく、安定器は、携帯用スピーカシステムがギターに取り付けられるときにギターのボディの一部に沿って延びる。
【００１３】
ボタンコネクタは、ハウジングの底部上に配置されてよく、安定器は、ハウジングに枢着されてよく、安定器は、携帯用スピーカシステムがギターに取り付けられるときに携帯用スピーカシステムの回転を禁止するために安定器がギターのボディの一部に重なる開位置と、携帯用スピーカシステムがギターに取り付けられないときに支持部材が携帯用スピーカシステムのハウジングに隣接する閉位置との間を枢動可能であってよい。
【００１４】
安定器がその閉位置にあるときに、安定器は、携帯用スピーカシステム用のスタンドを提供する。
【００１５】
携帯用スピーカシステムがギターに取り付けられるときに、安定器は、ギターのボディの一部に対して弾性的にバイアスされてよい。
【００１６】
補助的オーディオ接続は、ワイヤレスオーディオ接続を含んでよい。
【００１７】
実施形態の別の態様によれば、ギター用の携帯用スピーカシステムが提供される。システムは、携帯用コンピューティングデバイスと、ギターの携帯用スピーカシステムと、を含み、携帯用スピーカシステムはハウジングを含み、ハウジングは、ギターによって発生する生の音声信号を出力するオーディオプラグを受け入れるためのオーディオジャックと、オーディオジャックに結合され、そして、生の音声信号および処理された生の音声信号のうちの１つを含む音声信号を受信して、増幅された音声信号を生成するために音声信号を増幅するように構成される増幅器と、増幅器に結合され、そして、増幅された音声信号を受信して、増幅された音声信号から出力音を生成するように構成されるスピーカと、増幅器およびスピーカに電力を供給するために増幅器およびスピーカに結合される電源と、を含む。携帯用スピーカシステムは、携帯用スピーカシステムをギターに取り外し可能に取り付けるための、そして携帯用スピーカシステムがギターに取り付けられるときに携帯用スピーカシステムの回転を禁止するための、取付け機構と、携帯用コンピューティングデバイスをギターに対して固定するために携帯用スピーカシステムのハウジングから延びる携帯用コンピューティングデバイスマウントと、増幅器および携帯用コンピューティングデバイスに結合される補助的オーディオ接続であって、処理された生の音声信号および補助的音声信号のうちの１つを増幅器に送るための補助的オーディオ接続と、を含む。
【００１８】
補助的オーディオ接続は、携帯用コンピューティングデバイスによって生成される補助的音声信号を受信するように構成されてよく、音声信号は、生の音声信号および補助的音声信号を含む。
【００１９】
補助的オーディオ接続は、生の音声信号を処理のために携帯用コンピューティングデバイスに送り、そして携帯用コンピューティングデバイスから処理された生の音声信号を受信するように構成されてよく、音声信号は、処理された生の音声信号を含む。
【００２０】
携帯用スピーカシステムは、携帯用スピーカシステムをギターのボディに取り付けるためにギターのストラップボタンに取り外し可能に取り付けるためのハウジング上に配置されるボタンコネクタと、携帯用スピーカシステムがギターに取り付けられるときに携帯用スピーカシステムの回転を禁止するために携帯用スピーカシステムから延びる支持部材と、を含む。
【００２１】
ここで、本発明の非限定的な実施形態が添付図面を参照して例としてのみ記載される。
【図面の簡単な説明】
【００２２】
【図１】図１は、実施形態による電気弦楽器取付け用の携帯用スピーカシステムの正面斜視図である。
【図２】図２は、図１の携帯用スピーカシステムの底面図である。
【図３】図３は、図１の携帯用スピーカシステムの背面斜視図である。
【図４】図４は、図１の携帯用スピーカシステムの上面図である。
【図５】図５は、図１の携帯用スピーカシステムのブロック図である。
【図６】図６は、非限定的な実施形態による、ギターに取り付けられて、携帯用コンピューティングデバイスと結合される図１の携帯用スピーカシステムの正面図である。
【図７】図７は、図６に示されるギターに取り付けられて、図６に示される携帯用コンピューティングデバイスと結合される図１の携帯用スピーカシステムの部分背面図である。
【図８】図８は、図７の携帯用スピーカシステムの斜視図である。
【図９】図９は、別の実施形態による携帯用スピーカシステムの上面図である。
【図１０】図１０は、ギターに取り付けられて、携帯用コンピューティングデバイスと結合される携帯用スピーカシステムの別の実施形態の部分斜視図である。
【図１１】図１１は、携帯用スピーカシステムの別の実施形態の斜視図である。
【図１２】図１２は、中に挿入されるギターからのストラップボタンを有する図１１の携帯用スピーカシステムの部分斜視図である。
【発明を実施するための形態】
【００２３】
説明の単純性および明快性のために、参照番号は各図において繰り返されてよく、対応するまたは類似する要素を示してよい。多くの詳細は、本明細書に記載されている実施形態の理解を提供するために記載される。実施形態は、これらの詳細なしで実施されてもよい。他の例において、周知の方法、手順、およびコンポーネントは、記載されている実施形態を不明瞭にすることを回避するために詳述されていない。説明は、本明細書に記載されている実施形態の範囲に制限されるとして考慮されることはない。
【００２４】
本開示は、一般に、電気弦楽器を演奏するユーザの能力を妨げることのない例えば電気ギター（以下、単にギターと称される）のような電気弦楽器のボディに取り付けるための携帯用スピーカシステムに関する。電気弦楽器が演奏されるときに、電気弦楽器からの生の音声信号を携帯用スピーカシステムに受信するために、携帯用スピーカシステムは、例えばオーディオケーブルを使用する電気弦楽器の出力プラグに接続されることができる。電気弦楽器がユーザによって演奏されるときに、携帯用スピーカシステムは、電気弦楽器から受信する生の音声信号を増幅するように構成される増幅器、および、増幅された音声信号を受信して、増幅された音声信号から音を生成するように構成される１つ以上のスピーカ、も含む。
【００２５】
携帯用スピーカシステムは、携帯用スピーカシステムから生の音声信号を受信するための、そして、演奏されるときに、電気弦楽器から受信する生の音声信号と結合されることができる携帯用スピーカシステムに補助的なオーディオ（ａｕｄｉｏ）を任意に提供するための、携帯用コンピューティングデバイス用のマウントを含んでもよい。携帯用スピーカシステムは、演奏されるときに電気弦楽器から受信される生の音声信号を携帯用コンピューティングデバイスに送るために、例えばケーブルを使用して携帯用コンピューティングデバイスに接続されてもよい。携帯用コンピューティングデバイスは、生の音声信号を処理するかまたは生の音声信号に補助的オーディオを追加するために生の音声信号を調整し、そして処理された生の音声信号を送信するか、あるいは、増幅器による増幅のために携帯用スピーカに向けて調整されて、１つ以上のスピーカを用いて音を生成する。
【００２６】
図１〜図５は、電気弦楽器への取付けのための携帯用スピーカシステム１００の例示の実施形態を示す。以下の説明では、携帯用スピーカシステム１００（以下、システム１００と称される）は、図６および図７に示すように、電気ギター２００（以下、ギター２００と称される）に取り付け可能である。しかしながら、システム１００は、いかなる適切な電気弦楽器（例えば、電気ベースギター、ハイブリッド電気音響ギター、電気ウクレレなど）にも取り付け可能でよく、それらと使用されてよい。
【００２７】
システム１００は、上部１０４、底部１０６、前部１０８、および後部１１０を有するハウジング１０２を含む。ハウジング１０２の底部１０６は、ギター２００のボディ２０２にシステム１００を取り外し可能に取り付けるためのギター取付け機構１１４を含むギター取付け部分１１２を含む。図１〜図５に示す実施形態では、ギター取付け機構１１４は、ギター２００のストラップボタン２０１をその中に受容して保持するように形づくられてサイズ設定される凹部１１６を含むボタンコネクタである。ストラップボタン２０１は、図１２に示すように、軸２０３およびフランジ２０５を有する。凹部１１６は、キー形状であり、第１直径を有する拡大部１１８および、拡大部１１８の第１直径よりも小さい第２直径を有する狭小部１２０を含む。ストラップボタン２０１が凹部１１６の拡大部１１８を通過するように、凹部１１６の拡大部１１８の直径は、ストラップボタン２０１のフランジ２０５の直径よりも大きい。凹部１１６の狭小部１２０の直径は、ストラップボタン２０１のフランジ２０５の直径よりも小さい。凹部１１６の狭小部１２０は、システム１００のハウジング１０２をギター２００に確実に取り付けるためにストラップボタン２０１の軸２０３と係合するように形づくられてサイズ設定される。
【００２８】
下記の詳細な説明に記載されるようにシステム１００がギター２００に取り付けられるときに、システム１００は、システム１００の回転を禁止するための安定器１２２も含む。図１〜図５に示す実施形態では、安定器１２２は、ベース１２６、スプリングヒンジ１２８、およびプレート１３０を含む。ベース１２６は、ハウジング１０２の後部１１０に近接してハウジング１０２の底部１０６に結合されて、ハウジング１０２の底部１０６から離れて延びる。プレート１３０は、スプリングヒンジ１２８によってベース１２６に枢着される。安定器１２２のプレート１３０は、プレート１３０がハウジング１０２の底部１０６に対して実質的に垂直なハウジングの底部から離れて延びる開位置（図３）と、プレート１３０がギター取付け部分１１２に隣接して、プレート１３０の前面１３２がギター取付け部分１１２に面する閉位置（図４）との間を枢動する。スプリングヒンジ１２８は、プレート１３０を閉位置にバイアスするスプリング力を提供する。
【００２９】
いくつかの実施形態では、プレート１３０が閉位置にあるときに、プレート１３０の前面１３２は、ギター取付け部分１１２から離間される。代わりの実施形態では、プレート１３０が閉位置にあるときに、プレート１３０の前面１３２は、ギター取付け部分１１２に当接するかまたは載置される。また、実施形態によっては、プレート１３０が閉位置にあるときに、プレート１３０は、ギター取付け部分１１２の凹部１１６をカバーする。
【００３０】
いくつかの実施形態では、プレート１３０は、圧縮性の軟質材料１３４（ギター２００のボディ２０２（図６）と係合するための、そして、システム１００がギター２００に取り付けられるときに掻き傷からギター２００のボディ２０２を保護するための、例えばゴム）を含む。圧縮性の軟質材料１３４は、プレート１３０の前面上に取り付けられて、そして、例えばゴムのような、ギター２００のボディ２０２を掻き傷から保護する任意の適切な材料であってもよい。
【００３１】
図１〜図５を再度参照すると、システム１００は、携帯用コンピューティングデバイス３００（図７）をシステム１００に取り付けるための取付け機構１５０も含む。下記に詳述されるように、取付け機構１５０は、システム１００のハウジング１０２の底部１０６に取り付け可能であり、そこから取り外し可能である。取付け機構１５０は、関節動作式アーム１５２およびホルダ１５４を含む。関節動作式アーム１５２は、固定部分１５６および、固定部分１５６に結合されて、システム１００のハウジング１０２に対して取付け機構１５０のホルダ１５４の位置を調整するために、固定部分１５６に沿って延びる軸のまわりに回転する回転部分１５８を含む。
【００３２】
ホルダ１５４は、関節動作式アーム１５２の回転部分１５８に結合される。ホルダ１５４は、その中に携帯用コンピューティングデバイス３００を受け入れて、確実に保持するために、形づくられて寸法決めされる。ホルダ１５４は、ホルダ１５４における携帯用コンピューティングデバイス３００の保持を確実にするために、固定端１５９およびグリッパ１６１を含む。ホルダ１５４に挿入されて、その中に確実に保持される様々なサイズの携帯用コンピューティングデバイスを可能にするために、固定端１５９とグリッパ１６１との間の距離を調整するために、グリッパ１６１は、固定端１５９に対して移動可能である。携帯用コンピューティングデバイス３００をホルダ１５４に確実に保持するために、グリッパ１６１は、携帯用コンピューティングデバイス３００がホルダ１５４に挿入されるときに、携帯用コンピューティングデバイス３００の縁に対して力を適用するためにスプリングを装備することができる。
【００３３】
関節動作式アーム１５２は、ホルダ１５４がシステム１００のハウジング１０２に対して所望の位置にあるときに回転部分１５８を固定部分１５６にロックするためのロック機構１６５も含む。ロック機構１６５は、例えば、回転部分１５８を固定部分１５６にロックするために摩擦を適用する摘まみねじのような任意の適切なロック機構であってもよい。
【００３４】
上記したように、取付け機構１５０は、ハウジング１０２に着脱可能である。図２を参照すると、ハウジング１０２の底部１０６は、第１マウントスロット１６０および第２マウントスロット１６２を含む。第１マウントスロット１６０は、関節動作式アーム１５２の固定部分１５６の第１端部１６４を受け入れて、取付け機構１５０をハウジング１０２に取り付けるために、形づくられて、寸法決めされる。
【００３５】
図２において、取付け機構１５０は、第２マウントスロット１６２に挿入されて示される。右利きのギターでは、第２マウントスロット１６２は、システム１００がギター２００に取り付けられて、ギター２００がユーザによって演奏されているときに、ユーザにより近い。したがって、そのとき取付け機構１５０の固定部分１５６の第１端部１６４は、第２マウントスロット１６２に取り付けられる。本実施形態では、固定部分１５６の第１端部１６４を第２マウントスロット１６２から分離して、固定部分１５６の第１端部１６４を第１マウントスロット１６０に挿入することによって、取付け機構１５０は、第２マウントスロット１６２から分離されることができる。システム１００がギター２００に取り付けられるときに、ギター２００を演奏するユーザの能力を妨げないようにホルダ１５４がギター２００のボディ２０２の上に配置されることができるように、第１マウントスロット１６０および第２マウントスロット１６２は、ユーザがシステム１００上の取付け機構１５０の位置を調整することを可能にする。
【００３６】
システム１００は、下記に詳述されるように、システム１００をギター２００に電気的に結合するためのハウジング１０２の底部１０６上に配置されるオーディオポート１６６も含む。システム１００は、下記に詳述されるように、システム１００を携帯用コンピューティングデバイス３００に電気的に結合するための補助的なオーディオポート１６８も含む。
【００３７】
図５を参照すると、システム１００は、増幅器１７０、スピーカ１７２−１、１７２−２（以下、概してスピーカ（単数）１７２として、そして集合的にスピーカ（複数）１７２として称される）、電気的バイパス１７６、通信インタフェース１７８、およびバッテリ１８０を含む、ハウジング１０２内に配置される複数の内部コンポーネントも含む。
【００３８】
電気的バイパス１７６は、バイパススイッチ１８２、オーディオポート１６６およびバイパススイッチ１８２に結合される。増幅器１７０は、補助的なオーディオポート１６８、およびスピーカ１７２にも結合される。増幅器は、下記に詳述されるように、音声信号を受信して、その音声信号を増幅するように構成される。スピーカ１７２は、下記に詳述されるように、増幅器１７０から増幅された音声信号を受信して、増幅された音声信号から出力音を生成するように構成される。
【００３９】
通信インタフェース１７８は、通信インタフェース・スイッチ１８４および増幅器１７０に結合される。バッテリ１８０は、システムのこれらのコンポーネント１００に電力を供給するために、増幅器１７０、スピーカ１７２、および通信インタフェース１７８に結合される。バッテリ１８０は、充電式バッテリであることができて、バッテリ１８０を充電するための外部電源取付け用の充電ポート１８６に結合される。充電ポート１８６は、ユニバーサルシリアルバス（ＵＳＢ）充電ポートまたは、バッテリ１８０に電力を供給するための他の任意の適切な充電ポートであることもできる。任意には、システム１００は、バッテリ１８０の電力レベルを示すための電力インジケータ・ライト（図示せず）を含んでよい。
【００４０】
次に、ギター２００へのシステム１００の取付けを述べる図６および図７を参照する。図６および図７に示すように、ギター２００は、湾曲形状を有するボディ２０２を含む。ボディ２０２は、前面２０４、背面２０６（図７）、第１端部２０８、第２端部２１０、およびオーディオケーブル４００の第１オーディオプラグ４０２が挿入されることができる音声出力ポート２１２を含む。オーディオケーブル４００は、システム１００をギター２００に電気的に結合するためにシステム１００のオーディオポート１６６への挿入用の第２オーディオプラグ４０４（図３参照）も含む。補助的なオーディオケーブル４１０は、システム１００の補助的なオーディオポート１６８への挿入用の第１オーディオプラグ４１２、および、システム１００を携帯用コンピューティングデバイス３００に電気的に結合するために、携帯用コンピューティングデバイス３００のオーディオポート３０２への挿入用の第２オーディオプラグ４１４を含む。
【００４１】
ボディ２０２の多種多様な形状および輪郭に適合するために、システム１００は、ギター２００のストラップボタン２０１（図１２）を介してギター２００に取り付ける。システム１００は、種々のサイズおよび形状のギターに取り付けられることができる。システム１００をギター２００に取り付けるために、プレート１３０の前面１３２がハウジング１０２の裏面１１０と概して平行であるように、安定器１２２のプレート１３０は開位置に枢動される。安定器１２２がギター２００の背面２０６に対して載置され、そして取付け機構１５０の関節動作式アーム１５２がギター２００の前面２０４に隣接するように、ギター２００の第１端部２０８は、安定器１２２の前面１３２と取付け機構１５０との間に挿入される。ギター２００の第１端部２０８上に配置されるストラップボタン２０１は、凹部１１６の拡大部１１８へと挿入され、そして、スナップボタン２０３の軸２０３は、それと係合するために凹部１１６の狭小部１２０へと摺動される。凹部１１６の狭小部１２０と係合されるストラップボタン２０１、および、ギター２００の背面２０６に沿って延びてそれに対してバイアスされる安定器１２２のプレート１３０とともに、システム１００は、ギター２００に取り付けられて、ストラップボタン２０１のまわりの回転を妨げられる。凹部１１６の形状は、ストラップボタン２０１の軸２０３が凹部１１６の狭小部１２０から摺動して出るのを妨げる。また、システム１００がストラップボタン２０１のまわりに回転するときにプレート１３０がギター２００の背面２０６に当接するので、安定器１２２は、ギター２００の背面２０６に対して載置されるときに、システム１００の回転を妨げる。システム１００は、ギター２００を保持する他方の手とともに一方の手を用いて、ギター２００に取り付けられることができる。
【００４２】
ストラップボタン２０１が凹部１１６の拡大部１１８から引き込まれるように、システム１００は、システム１００に対するギター２００の角度付けによってギター２００から分離されることができる。次いで、安定器１２２のプレート１３０は、コンパクトな格納のための閉位置へと枢動されることができるか、またはスタンドとして使われることができる。ハウジング１０２の形状が、異なる形状およびサイズの多種多様な電気弦楽器に取り付け可能なシステム１００を可能にすることはいうまでもない。
【００４３】
以下、システム１００の動作について詳細に説明する。ギター２００がユーザによって演奏されるときに、ギター２００は、ギター２００の音声出力ポート２１２を出力されて、オーディオケーブル４００を通ってシステム１００に伝えられて、オーディオポート１６６でシステム１００に受信される生の音声信号を生成する。本実施形態では、システム１００は、３つの異なる構成（生の構成、ワイヤード構成、およびワイヤレス構成）で動作するように構成されることができる。
【００４４】
生の構成では、ギター２００によって発生される生の音声信号は、ギター２００が演奏されるときにオーディオケーブル４００を介してオーディオポート１６６で受信される。生の音声信号は、電気的バイパス１７６を通過し、それによって生の音声信号は、増幅器１７０に直接伝えられることができる。生の音声信号は、増幅器１７０によって増幅される。増幅された生の音声信号は、スピーカ１７２によって受信され、スピーカ１７２は、増幅された生の音声信号から出力音を生成する。生の構成では、システム１００は、携帯用コンピューティングデバイス３００への電気的接続なしに動作して、ギター２００からのきれいで変更のない音を作り出す。生の構成は、バイパススイッチ１８２の作動によって起動されることができる。バイパススイッチ１８２は、生の音声信号を増幅器１７０に直接伝えるために電気的バイパスを構成する。生の構成では、演奏されるときにギターによって発生する生の音声信号は、携帯用コンピューティングデバイス３００を必要とすることなく、増幅されて、出力される。
【００４５】
ワイヤード構成では、ギター２００が演奏されるときに、生の音声信号はギター２００によって発生されて、オーディオケーブル４００を介してオーディオポート１６６で受信される。ワイヤード構成では、電気的バイパス１７６は、生の音声信号を携帯用コンピューティングデバイス３００に伝送するための補助的なオーディオポート１６８に伝える。携帯用コンピューティングデバイス３００は、オーディオポート３０２で生の音声信号を受信する。携帯用コンピューティングデバイス３００は、携帯用コンピューティングデバイス３００上を動作する音声処理アプリケーションの命令を実行することによって、生の音声信号を処理し、調整し、またはさもなければ修正するために、音声処理アプリケーションを実行することができる。例えば、携帯用コンピューティングデバイス３００上を動作する音声処理アプリケーションの命令は、携帯用コンピューティングデバイス３００に保存される補助的オーディオ（例えば、バックグラウンドのドラムビートまたは、処理された生の音声信号を形成するための生の音声信号に対するサポート器楽）を追加してもよい。次いで、処理された生の音声信号は、携帯用コンピューティングデバイス３００から送信され、補助的なオーディオポート１６８で受信されて増幅器１７０に提供される。処理された生の音声信号は、増幅された音声信号へと増幅器によって増幅され、次いで、スピーカ１７２に送られて出力音を生成する。携帯用コンピューティングデバイス３００は、システム１００から受信する生の音声信号を録音することができて、メモリに保存することができる。
【００４６】
ワイヤレス構成では、ギターが演奏されるときにギター２００によって発生する生の音声信号は、オーディオジャック１３８で受信される。通信インタフェース１７８は、携帯用コンピューティングデバイス３００とのワイヤレス接続を確立する。そしてそれは、ワイヤレスオーディオ接続を含む補助的オーディオ接続として役立つ。補助的音声信号は、携帯用コンピューティングデバイス３００によって発生して、通信インタフェース１７８によって受信される。次いで、ギター２００から受信する生の音声信号および携帯用コンピューティングデバイス３００から受信する補助的オーディオ信号は、処理された生の音声信号へと組み合わされて、増幅された音声信号へと増幅器１７０によって増幅されて、次いでスピーカ１７２に提供されて出力音を生成する。通信インタフェース１７８がＢｌｕｅｔｏｏｔｈ（登録商標）モジュールを含むいくつかの実施形態では、ワイヤレス構成は、通信インタフェース・スイッチ１８４を用いて可逆的に起動することができ、そしてそれは、起動するときにＢｌｕｅｔｏｏｔｈ（登録商標）接続を確立する。しかしながら、いくつかの実施形態では、Ｂｌｕｅｔｏｏｔｈ（登録商標）ペアリングは、ペアデバイスが近くにあるときに自動的に起こることができて、通信インタフェース・スイッチ１８４の必要性を不要にする。
【００４７】
システム１００は、ハウジング１０２の上部１０４に配置されるヘッドホンポート１８８も含む。増幅器１７０から出力される音声信号は、スピーカ１７２の代わりにヘッドホンポート１８８に送られることができて、それにより、ユーザは静かな運用のための出力音を聞くことができる。
【００４８】
携帯用コンピューティングデバイス３００は、音声入力および出力機能を有する、そして、携帯用コンピューティングデバイス３００とユーザとの対話処理のためのタッチスクリーンのような入力デバイスを有する、システム１００から受信する生の音声信号を処理するための、および／または補助的なオーディオケーブル４１０および補助的なオーディオポート１６８を介してシステム１００に補助的音声信号を供給するための、音声処理アプリケーションまたはソフトウェアを実行する、任意の適切な携帯用電子コンピューティングデバイスでもありうる。音声処理に加えて、携帯用コンピューティングデバイス３００は、例えば、演奏される歌のタブラチュアまたは音楽表記法を携帯用コンピューティングデバイスのタッチスクリーンディスプレイ上に表示するソフトウェアのような、楽器を演奏するユーザをアシストするアプリケーションまたはソフトウェアを実行することもできる。携帯用コンピューティングデバイス３００は、例えば、Ａｎｄｒｏｉｄ（登録商標）、ｉＰｈｏｎｅ（登録商標）、Ｗｉｎｄｏｗｓ（登録商標）ｍｏｂｉｌｅ、ＢＢ１０のようなオペレーティングシステムを実行するスマートフォン、または適切にサイズ設定されたタブレット、パーソナル携帯情報機器（ＰＤＡ）、などでもよい。
【００４９】
図６および図７に示した実施形態では、携帯用コンピューティングデバイス３００が補助的なオーディオケーブル４１０（特に、携帯用コンピューティングデバイスによって通常用いられる１／８インチのオーディオケーブル）を用いてシステム１００に電気的に結合されて示されているが、携帯用コンピューティングデバイス３００は、ＵＳＢのような他のワイヤード手段を通して、またはＢｌｕｅｔｏｏｔｈ（登録商標）接続、ＷｉＦｉ接続のようなワイヤレス接続、または音声信号の伝送のための他の適切な手段を通して、システム１００に接続されることもできる。
【００５０】
図６および図７に示した実施形態では、ギター２００がオーディオケーブル４００（特に、電気ギターおよび電気ベースギターにおいて通常用いられる１／４インチのオーディオケーブル）を用いて携帯用スピーカシステム１００に電気的に結合されて示されているが、ギター２００からシステム１００に生の音声信号を伝えるための他の手段が利用されてよく、システム１００と互換性を持ってよいと考えられる。
【００５１】
いくつかの実施形態では、正面１０８は、ハウジング１０２の正面１０６をカバーするスピーカグリルを含む。スピーカグリル１０８は、システム１００がギター２００に取り付けられるときに、聴衆に見えるブランド・ロゴまたは他のメッセージを含むことができる。
【００５２】
図１〜図５を再度参照すると、システム１００は、システム１００によって発生する音量を制御するための、そしてシステム１００用のオン／オフスイッチとして役立つための、音量調節ノブ１９０も含む。
【００５３】
他の実施形態では、ハウジング１０２および携帯用スピーカシステム１００のギター取付け部分１１２は、ギター２００の上縁２１４の近くに位置する上部ストラップボタン（図示せず）周辺に従うために形づくられる。しかしながら、この上部ストラップボタン周辺で従来のギターの輪郭が与えられるとすると、システム１００は、ギター２００の下縁２１６でストラップボタン２０１の近くにギター２００のボディ２０２のより角張らない輪郭に従うために形づくられる。したがって、本実施形態では、ハウジング１０２は、概して矩形のプリズムとして形づくられる。しかしながら、他の実施形態では、ストラップボタン２０１または他のストラップボタンにつながるかどうか、ハウジング１０２の形状は他の任意の適切な形であってよい。但しその形状は、携帯用スピーカシステム１００が取り付けられるストラップボタン周辺でギター２００のボディ２０２の輪郭と互換性を持つ。
【００５４】
図に示した実施形態に加えて、留め金およびソケットのようなボタンコネクタを有する他のギター取付け機構１１４が考察されて、他の安定器（例えば支柱、ブラケット、およびグリップ）が考察される。いくつかの実施形態では、安定器は、例えば、ストラップボタンに影響を与えて携帯用スピーカシステムの回転を禁止するための摘まみねじまたは他の手段の場合、ギターのボディに対して係合されなくてよい。
【００５５】
図８〜図１０を参照すると、携帯用スピーカシステム５００の別の例示の実施形態が示される。下記の説明において、携帯用スピーカシステム１００に関して使われる参照番号と共通の参照番号は、それらの実施形態に記載された参照番号と同様である要素に関連するために考慮される。
【００５６】
図８〜図１０に示す実施形態では、携帯用スピーカシステム５００は、統合安定器および携帯用コンピューティングデバイスホルダ５１６（以下、ホルダ５１６と称する）を含む。ホルダ５１６は、ハウジング１０２の底部１０６から離れて延びて、携帯用スピーカシステム５００のハウジング１０２の上部１０４と統合される。
【００５７】
ホルダ５１６は、ベースプレート５１０、摺動可能なタブ５１２、およびトラック５１４を含む。ベースプレート５１０と摺動可能なタブ５１２との間には、携帯用コンピューティングデバイス３００を挿入するためのスペースがある。ホルダ５１６に挿入されるようにさまざまにサイズ設定される携帯用コンピューティングデバイス３００を可能にするために、摺動可能なタブ５１２とベースプレート５１０との間の距離は、トラック５１４に沿った摺動可能なタブ５１２の移動によって調節可能である。携帯用コンピューティングデバイス３００が摺動可能なタブ５１２の間に挿入されるときに、携帯用コンピューティングデバイス３００がその間のスペースに挿入されるときに摺動可能なタブ５１２が携帯用コンピューティングデバイス３００の縁に対して力を適用するように、摺動可能なタブ５１２は、トラック５１４に沿って摺動して、ベースプレート５１０の方へバイアス手段（例えばばね）によってバイアスされる。使用中、携帯用コンピューティングデバイスを取り付けるための取付け機構を同時に提供する一方で、携帯用スピーカシステム５００がギター２００に取り付けられるときに、ホルダ５１６は、携帯用スピーカシステム５００の回転を禁止する。
【００５８】
携帯用スピーカシステム５００は、ギター２００のストラップボタン２０１に取り付けるための凹部５０２内に配置される係止アーム５１８も含む。係止アーム５１８は、ギター２００に携帯用スピーカシステム５００を取り付けるためにギター２００のストラップボタン２０１と取り外し可能に取り付けるためのボタンコネクタ１４０のバリエーションを提供する。
【００５９】
ホルダ５１６は、携帯用スピーカシステム５００がギター２００に取り付けられるときに、ギターの前面２０４と一般に平行なギター２００のボディ２０２の部分（この場合ギター２００の前面２０４）に沿って延びる。携帯用スピーカシステム５００がストラップボタン２０１のまわりに回転するときにホルダ５１６がギター２００の前面２０４に当接するので、携帯用スピーカシステム５００がギター２００に取り付けられるときに、ホルダ５１６は、携帯用スピーカシステム５００の回転を禁止する。
【００６０】
携帯用スピーカシステム５００がギター２００に取り付けられるときにギター２００に対して携帯用スピーカシステム５００の接触を保護するために、携帯用スピーカシステム５００は、ハウジング１０２の底部１０６上に位置するパディング５０４をさらに含む。パディング５０４は、携帯用スピーカシステム５００がギター２００に取り付けられるときにギター２００を掻き傷から保護するための適切な軟質材料（例えばゴム）でできていることができる。
【００６１】
図１１および図１２は、携帯用スピーカシステム６００の別の例示の実施形態を示す。下記の説明において、携帯用スピーカシステム１００に関して使われる参照番号と共通の参照番号は、それらの実施形態に記載された参照番号と同一または類似の要素に関連するために考慮される。
【００６２】
携帯用スピーカシステム６００は、上記の通りに同様の方法でギター２００のストラップボタン２０１と取り外し可能に取り付けるボタンコネクタ６４０を含むギター取付け機構１１４を含む。本実施形態では、ボタンコネクタ６４０は、拡大部６４２および狭小部６４４を含む。ボタンコネクタ６４０は、ストラップボタン２０１のより大きいサイズに適合するための、そして拡大部６４２へのストラップボタン２０１の挿入の容易さのための、フレア部分６４６をさらに含む。図１２は、狭小部６４４の中で受け入れられるストラップボタン２０１（省略されるギター２００を有する）を例示する。
【００６３】
本明細書において記載されている実施形態に対するバリエーションが本発明の範囲内においてなされてよいことは、当業者によってよく理解されている。例えば、単一のスピーカが２つの代わりに用いられてよく、ハウジング１０２の形状に対する修正がなされてよく、携帯用コンピューティングデバイス３００を保持するための取付け機構１５０の設計に対する修正がなされてよく、通信インタフェース・スイッチ１８４が自動ワイヤレス接続の代わりに省略されてよく、ばね以外の異なる弾性的バイアス手段が使用されてよく、携帯用スピーカシステムの異なる種類のボタン、スイッチ、ポート、ジャック、および周辺機器が使用されてよい。さらに、携帯用スピーカシステムの回路が簡潔さのために省略されたものと理解され、そしてその回路が、本明細書に記載されている機能性（例えば、携帯用スピーカシステム１００の音量およびオン／オフ状態を制御するために音量調節ノブ１９０の機能性、および電気的バイパス１７６の回路、および音声信号経路）を提供するために推測されてよいものと理解される。
【００６４】
システム１００の他の実施形態では、ギターを演奏するユーザの能力を妨げることなくシステム１００をギター２００に取り外し可能に取り付けて、システム１００がギター２００に取り付けられるときにシステム１００の回転を禁止する取付け機構である限り、例えばギター２００のボディ２０２またはギター２００の首にクランプされることによって、ストラップボタン２０１での取り付けなしでシステム１００をギター２００のボディ２０２に直接取り付ける他のギター取付け機構１１４が使用されてよいことがさらに考察される。
【００６５】
本開示の携帯用スピーカシステム１００、５００、６００は、楽器が増幅器およびスピーカに繋がれずに演奏されることができる電気弦楽器に取り付け可能である。携帯用コンピューティングデバイス３００は、演奏されるときにそして補助的なオーディオを提供するために、ギター２００から受信する生の音声信号を処理するために、携帯用スピーカシステム１００、５００、６００と結合されることができる。本開示の携帯用スピーカシステム１００、５００、６００によって、ユーザは、彼等が選んだ電気弦楽器および携帯用コンピューティングデバイスに携帯用スピーカシステムを取り付けることができて、その電気弦楽器を持ち運び可能に演奏することができて、スピーカを通した出力のために、ギターからの生の音声信号が携帯用コンピューティングデバイスによって処理されて、調整されて、または補助的オーディオを加えられることができる。
【００６６】
請求項の範囲は、上記の例に記載される実施形態によって制限されるべきでなく、全体として説明と整合した最も広い解釈を与えられなければならない。
【図１】
2019522409.tif 000003
【図２】
2019522409.tif 000004
【図３】
2019522409.tif 000005
【図４】
2019522409.tif 000006
【図５】
2019522409.tif 000007
【図６】
2019522409.tif 000008
【図７】
2019522409.tif 000009
【図８】
2019522409.tif 000010
【図９】
2019522409.tif 000011
【図１０】
2019522409.tif 000012
【図１１】
2019522409.tif 000013
【図１２】
2019522409.tif 000014
【国際調査報告】
2019522409.tif 000015
2019522409.tif 000016